(57)【要約】      （修正有）【課題】より耐圧強度を高めた組立品を提供することを目的とする。【解決手段】折り畳み自在で平坦かつ方形の、上部半製品及び底部半製品から組み立てられた、組立品１０であって、第１側面部及び第２側面部、又は、第３側面部及び第４側面部は、幅方向外方へ延びる突片部を有し、組立品を組み立てることで折り畳まれたそれぞれの支柱部には、少なくとも１つの切込部を有するリブが形成され、第１側面部及び第２側面部、又は、第３側面部及び第４側面部のうち、前記突片部を有さない側面部が、該突片部を差込み可能な突片差込口を有し、上部半製品及び底部半製品に形成されたリブ同士を直交させるように対向させ、リブが有する切込部を互いに係合させ、かつ、突片部を突片差込口に差込み、係止することで組み立てられた組立品。【選択図】図１
2020075734.tif 000002
【特許請求の範囲】
【請求項１】
折り畳み自在で平坦かつ方形の、上部半製品及び底部半製品から組み立てられた、組立品であって、
上部半製品には、第１側面部、第２側面部、及び支柱部が長手方向に並列に配置されており、
底部半製品には、第３側面部、第４側面部、及び支柱部が長手方向に並列に配置されており、
第１側面部、第２側面部、第３側面部、及び第４側面部の少なくとも１つは、物体の運搬において使用する運搬用差込口を有し、
第１側面部及び第２側面部、又は、第３側面部及び第４側面部は、幅方向外方へ延びる突片部を有し、
組立品を組み立てることで折り畳まれたそれぞれの支柱部には、少なくとも１つの切込部を有するリブが形成され、
第１側面部及び第２側面部、又は、第３側面部及び第４側面部のうち、前記突片部を有さない側面部が、該突片部を差込み可能な突片差込口を有し、
上部半製品及び底部半製品に形成されたリブ同士を直交させるように対向させ、リブが有する切込部を互いに係合させ、かつ、突片部を突片差込口に差込み、係止することで組み立てられた組立品。
【請求項２】
前記運搬用差込口は、折り畳まれて形成される、請求項１に記載の組立品。
【請求項３】
上部半製品及び／又は底部半製品には、さらに、パネルが長手方向に並列に配置されており、
パネルは、運搬用差込口に差し込まれた物体を確認可能な確認窓を有する、請求項１又は２に記載の組立品。
【請求項４】
折り畳み自在で平坦かつ方形の、組立品を構成し得る板状部材であって、
板状部材には、組立品を組み立てた際に組立品の側面となる第１側面部及び第２側面部、並びに、組立品を組み立てた際に組立品の支柱となる支柱部が長手方向に並列に配置されており、
第１側面部及び第２側面部は、幅方向外方へ延びる突片部を有し、
組立品を組み立てることで折り畳まれた支柱部には、少なくとも１つの切込部を有するリブが形成され、
形成されたリブを、他の板状部材に形成されたリブと直交させるように対向させ、リブが有する切込部を係合させ、かつ、突片部を他の板状部材が有する突片差込口に差込み、係止することで組立品を構成し得る板状部材。
【請求項５】
第１側面部及び第２側面部の少なくとも１つは、物体の運搬において使用する運搬用差込口を有する、請求項４に記載の板状部材。
【請求項６】
折り畳み自在で平坦かつ方形の、組立品を構成し得る板状部材であって、
板状部材には、組立品を組み立てた際に組立品の側面となる第３側面部及び第４側面部、並びに、組立品を組み立てた際に組立品の支柱となる支柱部が長手方向に並列に配置されており、
第３側面部及び第４側面部は、他の板状部材が有する突片部を差込み可能な突片差込口を有し、
組立品を組み立てることで折り畳まれた支柱部には、少なくとも１つの切込部を有するリブが形成され、
形成されたリブを、他の板状部材に形成されたリブと直交させるように対向させ、リブが有する切込部を係合させ、かつ、突片部を突片差込口に差込み、係止することで組立品を構成し得る板状部材。
【請求項７】
第３側面部及び第４側面部の少なくとも１つは、物体の運搬において使用する運搬用差込口を有する、請求項６に記載の板状部材。
【発明の詳細な説明】
【技術分野】
【０００１】
本発明は、組立品、及び、組立て品を構成する板状部材に関する。
【背景技術】
【０００２】
従来、折り畳み可能な２つの半製品を組み合わせた、例えば容器や箱のような波形構造がある（例えば、特許文献１参照）。
【先行技術文献】
【特許文献】
【０００３】
【特許文献１】特表２００２−５３９０４９号公報
【発明の概要】
【発明が解決しようとする課題】
【０００４】
しかし、特許文献１の技術は、耐圧強度の観点において、さらなる改善の余地があった。
【０００５】
本発明の少なくとも１つの実施の形態の目的は、より耐圧強度を高めた組立品を提供することを目的とする。
【課題を解決するための手段】
【０００６】
非限定的な観点によると、折り畳み自在で平坦かつ方形の、上部半製品及び底部半製品から組み立てられた、組立品であって、上部半製品には、第１側面部、第２側面部、及び支柱部が長手方向に並列に配置されており、底部半製品には、第３側面部、第４側面部、及び支柱部が長手方向に並列に配置されており、第１側面部、第２側面部、第３側面部、及び第４側面部の少なくとも１つは、物体の運搬において使用する運搬用差込口を有し、第１側面部及び第２側面部、又は、第３側面部及び第４側面部は、幅方向外方へ延びる突片部を有し、組立品を組み立てることで折り畳まれたそれぞれの支柱部には、少なくとも１つの切込部を有するリブが形成され、第１側面部及び第２側面部、又は、第３側面部及び第４側面部のうち、前記突片部を有さない側面部が、該突片部を差込み可能な突片差込口を有し、上部半製品及び底部半製品に形成されたリブ同士を直交させるように対向させ、リブが有する切込部を互いに係合させ、かつ、突片部を突片差込口に差込み、係止することで組み立てられた組立品である。
【０００７】
非限定的な観点によると、本発明に係る板状部材は、折り畳み自在で平坦かつ方形の、組立品を構成し得る板状部材であって、板状部材には、組立品を組み立てた際に組立品の側面となる第１側面部及び第２側面部、並びに、組立品を組み立てた際に組立品の支柱となる支柱部が長手方向に並列に配置されており、第１側面部及び第２側面部は、幅方向外方へ延びる突片部を有し、組立品を組み立てることで折り畳まれた支柱部には、少なくとも１つの切込部を有するリブが形成され、形成されたリブを、他の板状部材に形成されたリブと直交させるように対向させ、リブが有する切込部を係合させ、かつ、突片部を他の板状部材が有する突片差込口に差込み、係止することで組立品を構成し得る板状部材である。
【０００８】
非限定的な観点によると、本発明に係る板状部材は、折り畳み自在で平坦かつ方形の、組立品を構成し得る板状部材であって、板状部材には、組立品を組み立てた際に組立品の側面となる第３側面部及び第４側面部、並びに、組立品を組み立てた際に組立品の支柱となる支柱部が長手方向に並列に配置されており、第３側面部及び第４側面部は、他の板状部材が有する突片部を差込み可能な突片差込口を有し、組立品を組み立てることで折り畳まれた支柱部には、少なくとも１つの切込部を有するリブが形成され、形成されたリブを、他の板状部材に形成されたリブと直交させるように対向させ、リブが有する切込部を係合させ、かつ、突片部を突片差込口に差込み、係止することで組立品を構成し得る板状部材である。
【発明の効果】
【０００９】
本発明の各実施形態により１または２以上の不足が解決される。
【図面の簡単な説明】
【００１０】
【図１】本発明の実施の形態の少なくとも１つに対応する、組み立てられた組立品を示す図である。
【図２】本発明の実施の形態の少なくとも１つに対応する、上部半製品を示す図である。
【図３】本発明の実施の形態の少なくとも１つに対応する、底部半製品を示す図である。
【図４】本発明の実施の形態の少なくとも１つに対応する、上部半製品及び底部半製品の組み合わせを説明する図である。
【図５】本発明の実施の形態の少なくとも１つに対応する、上部半製品及び底部半製品の組み合わせを説明する図である。
【図６】本発明の実施の形態の少なくとも１つに対応する、上部半製品及び底部半製品が有する切込部の係合を説明する図である。
【図７】本発明の実施の形態の少なくとも１つに対応する、側面部の組立てを説明する図である。
【図８】本発明の実施の形態の少なくとも１つに対応する、突片部の差込みを説明する図である。
【発明を実施するための形態】
【００１１】
以下、添付図面を参照して、本発明の実施の形態について説明する。以下、効果に関する記載は、本発明の実施の形態の効果の一側面であり、ここに記載するものに限定されない。
【００１２】
本発明を適用することができる組立品としては、２つの板状部材を組み合わせることで組み立てられるものであれば、特に限定されない。本発明を適用することができる組立品としては、例えば、パレット、容器、箱などをあげることができる。
【００１３】
図１は、本発明の実施の形態の少なくとも１つに対応する、組み立てられた組立品を示す図である。組立品１０は、上部の部材と底部の部材とから構成される。より好適には、それぞれの部材は、折り畳み自在な、板状の上部半製品１００及び底部半製品２００を折り畳むことで形成される。上部半製品１００及び底部半製品２００は、波形板紙の平坦なシートで形成してもよいし、折り畳み自在な樹脂で形成してもよい。
【００１４】
従来のパレットは、使用し続けることが前提だったため、物品を運搬した後もパレットだけを搬送しなければならなかった。本発明の実施の形態の少なくとも１つに対応する組立品は、上部半製品１００及び底部半製品２００が波形板紙の平坦なシート（例えば、段ボール等）で形成された場合には、組立品の耐圧強度を向上させることができ、例えば、物品を移動するパレットとして使用することができる。組立品の使用後に、分解することで容易に組立品を廃棄することが可能である。使い捨て可能なパレットであれば、再度出荷元にパレットを搬送して戻す必要がなく、一方通行の運搬が可能となるため、経済的にメリットがある。
【００１５】
また、上部半製品１００及び底部半製品２００は、組立品の組み立てを容易にするために、折り畳む部分に切込み線が引かれ、不要な部分は予め打ち抜かれている、又は切り取られていることが好ましい。
【００１６】
本発明の実施の形態の１つに対応する組立品は、上部半製品及び底部半製品の折り畳み、上部半製品と底部半製品との係合、上部半製品及び底部半製品の側面部の折り畳み、及び、突片部の折り畳みの４つの工程により組み立てられる。
【００１７】
図２は、本発明の実施の形態の少なくとも１つに対応する、上部半製品を示す図である。上部半製品１００は、端部２０ａ、２０ｂ、側面部３０ａ、３０ｂ、側部パネル４０ａ、４０ｂ、中央パネル５０、支柱部６１ａ、６１ｂ、６１ｃ、６１ｄ、６２ａ、及び６２ｂを含む。図示するように、端部、側面部、側部パネル、中央パネル、支柱部はそれぞれ、上部半製品の長手方向に並列に配置されている。支柱部は、６１ａ及び６１ｂの列と、６１ｃ及び６１ｄの列とで２列存在するが、本発明はこれに限定されない。すなわち、１列以上あればよく、必要な強度に応じて適宜設計を変更することができる。
【００１８】
側面部３０ａは、他の半製品と組み合わせる際に折り畳んで用いる折り畳み差込部３１ａ及び３１ｂ、他の半製品が備える突片部を差し込み可能な突片差込口３２ａ及び３２ｂ、物体の運搬において使用する運搬用差込口３３ａ、３３ｂ、３３ｃ及び３３ｄを含む。側面部３０ｂは、他の半製品と組み合わせる際に折り畳んで用いる折り畳み差込部３１ｃ及び３１ｄ、他の半製品が備える突片部を差し込み可能な突片差込口３２ｃ及び３２ｄ、物体の運搬において使用する運搬用差込口３３ｅ、３３ｆ、３３ｇ及び３３ｈを含む。運搬用差込口は、一例として、１つの側面部に対して２つ存在するが、本発明はこれに限定されない。すなわち、運搬に用いるための口が１以上存在すればよい。
【００１９】
側部パネル４０ａは、運搬用差込口に差し込まれた物体を確認可能な確認窓４１ａ及び４１ｂを含む。側部パネル４０ｂは、運搬用差込口に差し込まれた物体を確認可能な確認窓４１ｃ及び４１ｄを含む。
【００２０】
支柱部６２ａは、他の半製品と係合させる際に用いる切込部６３ａ及び６３ｂを含む。支柱部６２ｂは、他の半製品と係合させる際に用いる切込部６３ｃ及び６３ｄを含む。
【００２１】
図３は、本発明の実施の形態の少なくとも１つに対応する、底部半製品を示す図である。底部半製品２００は、端部１２０ａ、１２０ｂ、側面部１３０ａ、１３０ｂ、側部パネル１４０ａ、１４０ｂ、中央パネル１５０、支柱部１６１ａ、１６１ｂ、１６１ｃ、１６１ｄ、１６２ａ、及び１６２ｂを含む。図示するように、端部、側面部、側部パネル、中央パネル、支柱部はそれぞれ、底部半製品の長手方向に並列に配置されている。支柱部は、１６１ａ及び１６１ｂの列と、１６１ｃ及び１６１ｄの列とで２列あるが、本発明はこれに限定されない。すなわち、１列以上あればよく、必要な強度に応じて適宜設計を変更することができる。
【００２２】
側面部１３０ａは、他の半製品が備える突片差込口に差し込み可能な突片部１３１ａ及び１３１ｂ、物体の運搬において使用する運搬用差込口１３３ａ、１３３ｂ、１３３ｃ及び１３３ｄを含む。側面部１３０ｂは、他の半製品が備える突片差込口に差し込み可能な突片部１３１ｃ及び１３１ｄ、物体の運搬において使用する運搬用差込口１３３ｅ、１３３ｆ、１３３ｇ及び１３３ｈを含む。運搬用差込口は、一例として、１つの側面部に対して２つ存在するが、本発明はこれに限定されない。すなわち、運搬に用いるための口が１以上存在すればよい。また、運搬用差込口は、折り畳むことで形成されるようにしてもよい。
【００２３】
支柱部１６２ａは、他の半製品と係合させる際に用いる切込部１６３ａ及び１６３ｂを含む。支柱部１６２ｂは、他の半製品と係合させる際に用いる切込部１６３ｃ及び１６３ｄを含む。
【００２４】
上部半製品の側部パネル４０ａ、４０ｂ及び中央パネル５０には、他の組立品や運搬する物品が戴置される。底部半製品の側部パネル１４０ａ、１４０ｂ及び中央パネル１５０は、地面と接する、又は、他の上部半製品の側部パネル及び中央パネルと接する。
【００２５】
次に、上部半製品及び底部半製品の折り畳みについて説明する。上部半製品は、側部パネル４０ａと中央パネル５０とを寄せ合うように、支柱部６１ａ、６１ｂ及び６２ａを、同一方向に、山折り又は谷折りに折り畳む。同様に、側部パネル４０ｂと中央パネル５０とを寄せ合うように、支柱部６１ｃ、６１ｄ及び６２ｂを折り畳む。底部半製品は、側部パネル１４０ａと中央パネル１５０とを寄せ合うように、支柱部１６１ａ、１６１ｂ及び１６２ａを折り畳む。同様に、側部パネル１４０ｂと中央パネル１５０とを寄せ合うように、支柱部１６１ｃ、１６１ｄ及び１６２ｂを、同一方向に、山折り又は谷折りに折り畳む。この工程では、上部半製品及び底部半製品を折り畳むだけであり、接着剤等は使用しない。
【００２６】
折り畳まれた上部半製品及び底部半製品は、正面視した場合に略正方形であることが好ましい。つまり、半製品に含まれる側部パネル及び中央パネルが略正方形にすることで、接する面に対していずれの方向から力が加えられたとしても、常に同程度の摩擦力を生じさせることができる。
【００２７】
次に、上部半製品と底部半製品との係合について説明する。図４及び図５は、本発明の実施の形態の少なくとも１つに対応する、上部半製品及び底部半製品の組み合わせを説明する図である。組み立てる際には、上部半製品１００と底部半製品２００とを、互いの長手方向が略直交するように配置する。
【００２８】
次に、図５に示すように、上部半製品の折り畳まれた支柱部（以下、リブともいう）と、底部半製品の折り畳まれた支柱部（リブ）とを、対向させるように組み合わせる。
【００２９】
図６は、本発明の実施の形態の少なくとも１つに対応する、上部半製品及び底部半製品が有する切込部の係合を説明する図である。図示するように、折り畳まれることで形成されたリブには、切込部６３ｃ、６３ｄ、１６３ａ及び１６３ｂが存在する。ここで、切込部６３ｃが、支柱部１６２ａにより形成されたリブを挟み込むように係合する。このような切込部を設けることで、接着剤を使用することなく半製品同士を組み合わせることができる。さらに、切込部６３ｃと、切込部１６３ｂとを組み合わせるように係合させると、より安定し、強固に係合させることができる。
【００３０】
なお、切込部は支柱部６２ａ、６２ｂ、１６２ａ及び１６２ｂに設けられているが、本発明はこれに限定されない。すなわち、支柱部６１に設けられていてもよく、他の半製品と係合可能に、いずれかの支柱部に切込部が設けられていればよい。
【００３１】
続いて、上部半製品及び底部半製品の側面部の折り畳みについて説明する。図７は、本発明の実施の形態の少なくとも１つに対応する、側面部の組立てを説明する図である。図は、上部半製品１００と底部半製品２００との切込部を係合させた状態を示す。
【００３２】
上部半製品の側面部３０ｂを図面奥側から手前側へ向けて折り曲げる。さらに、端部２０ｂが有する切込部７１ａ及び７１ｂを、折り畳まれた支柱部１６１ｃ及び１６１ａを挟み込むように、図面手前側から奥側へ向けて折り曲げる。この結果、端部２０ｂは、上部半製品１００と底部半製品２００とに挟まれた空間内部に位置することになる。また、上部半製品１００の側面部３０ｂには、折り畳み差込部３１ｃ及び３１ｄがある。これらを、上部半製品１００と底部半製品２００とに挟まれた空間内部に位置するように、折り畳む。
【００３３】
なお、折り曲げた際に、底部半製品２００の側面部１３０が備える突片部１３１ａ及び１３１ｃは、側面部３０ｂに巻き込まれないように、上部半製品１００と底部半製品２００とに挟まれる空間の外側に位置させておく。側面部３０ｂと同様に、側面部３０ａも折り畳む。
【００３４】
また、底部半製品の側面部１３０ａ及び１３０ｂについても、上部半製品の側面部と同様に折り畳む。ただし、上部半製品の側面部には突片部がないため、突片部を組立品の外側に位置するように折り畳まなくてもよい。
【００３５】
続いて、組立ての仕上げである、突片部の折り畳みについて説明する。図８は、本発明の実施の形態の少なくとも１つに対応する、突片部の差込みを説明する図である。側面部３０ｂに設けられた突片差込口３２ｃに、側面部１３０ｂが備える突片部１３１ｃを差し込む。差し込む際には、折り目線８１に沿って、手前から正面奥へ向けて折り込む。ここで、突片部１３１が突片差込口３２よりも大きい場合には、突片部１３１をさらに折り曲げつつ、折り込むことが好ましい。このようにすることで、突片部を差し込んで係止した場合に、係止部が外れ難くなり、より安定して組み合わせることができる。
【００３６】
さらに、物品を戴置した際に組立品１０に加わる力の方向と、折り目線８１の成す線の方向とが、略平行になることが好ましい。このようにすることで、組立品１０の耐圧強度をより向上させることができる。
【００３７】
また、突片部１３１は、側面部３０を覆うように折り曲げられることが好ましい。このようにすることで、組立品１０の角を保護することができ、組立品１０の耐久度をより向上させることができ、使用後も分解して再度使用することができる。
【符号の説明】
【００３８】
１０      ：組立品
２０      ：端部
３０      ：側面部
３１      ：折り畳み差込部
３２      ：突片差込口
３３      ：運搬用差込口
４０      ：側部パネル
４１      ：確認窓
５０      ：中央パネル
６１、６２：支柱部
６３      ：切込部
７１      ：切込部
８１      ：折り目線
１００    ：上部半製品
１２０    ：端部
１３０    ：側面部
１３１    ：突片部
１３３    ：運搬用差込口
１４０    ：側部パネル
１５０    ：中央パネル
１６１    ：支柱部
１６２    ：支柱部
１６３    ：切込部
２００    ：底部半製品
【図１】
2020075734.tif 000003
【図２】
2020075734.tif 000004
【図３】
2020075734.tif 000005
【図４】
2020075734.tif 000006
【図５】
2020075734.tif 000007
【図６】
2020075734.tif 000008
【図７】
2020075734.tif 000009
【図８】
2020075734.tif 000010
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
折り畳み自在で平坦かつ方形の、上部半製品及び底部半製品から組み立てられた、組立品であって、
上部半製品には、第１側面部、第２側面部、支柱部、第１端部、及び第２端部が長手方向に並列に配置され、かつ、第１端部及び第１側面部、並びに第２端部及び第２側面部はそれぞれ隣接して配置されており、
底部半製品には、第３側面部、第４側面部、及び支柱部が長手方向に並列に配置されており、
第１側面部、第２側面部、第３側面部、及び第４側面部の少なくとも１つは、物体の運搬において使用する運搬用差込口を有し、
第１側面部及び第２側面部、又は、第３側面部及び第４側面部は、幅方向外方へ延びる突片部を有し、
組立品を組み立てることで折り畳まれたそれぞれの支柱部には、少なくとも１つの切込部を有するリブが形成され、
第１側面部及び第２側面部、又は、第３側面部及び第４側面部のうち、前記突片部を有さない側面部が、該突片部を差込み可能な突片差込口を有し、
第１側面部及び／又は第２側面部は、底部半製品と組み合わせる場合に用いる折畳差込部を有し、
上部半製品及び底部半製品に形成されたリブ同士を直交させるように対向させ、リブが有する切込部を互いに係合させ、上部半製品及び底部半製品に挟まれる空間内部に位置するように、第１端部、第２端部、及び折畳差込部を折り畳み、突片部を突片差込口に差込み、係止することで組み立てられた組立品。
【請求項２】
折り畳み自在で平坦かつ方形の、上部半製品及び底部半製品から組み立てられた、組立品であって、
上部半製品には、第１側面部、第２側面部、及び支柱部が長手方向に並列に配置されており、
底部半製品には、第３側面部、第４側面部、及び支柱部が長手方向に並列に配置されており、
第１側面部、第２側面部、第３側面部、及び第４側面部の少なくとも１つは、物体の運搬において使用する運搬用差込口を有し、
第１側面部及び第２側面部、又は、第３側面部及び第４側面部は、幅方向外方へ延びる突片部を有し、
組立品を組み立てることで折り畳まれたそれぞれの支柱部には、少なくとも１つの切込部を有するリブが形成され、
第１側面部及び第２側面部、又は、第３側面部及び第４側面部のうち、前記突片部を有さない側面部が、該突片部を差込み可能な突片差込口を有し、
上部半製品及び／又は底部半製品の支柱部は、他の半製品と係合させるために折り畳むものであり、
該支柱部には、折り畳むための二本の折り曲げ線が平行に設けられており、
上部半製品及び底部半製品に形成されたリブ同士を直交させるように対向させ、リブが有する切込部を互いに係合させ、かつ、突片部を突片差込口に差込み、係止することで組み立てられた組立品。
【請求項３】
折り畳み自在で平坦かつ方形の、上部半製品及び底部半製品から組み立てられた、組立品であって、
上部半製品には、第１側面部、第２側面部、支柱部、第１端部、及び第２端部が長手方向に並列に配置され、かつ、第１端部及び第１側面部、並びに第２端部及び第２側面部はそれぞれ隣接して配置されており、
底部半製品には、第３側面部、第４側面部、及び支柱部が長手方向に並列に配置されており、
第１側面部、第２側面部、第３側面部、及び第４側面部の少なくとも１つは、物体の運搬において使用する運搬用差込口を有し、
第１側面部及び第２側面部、又は、第３側面部及び第４側面部は、幅方向外方へ延びる突片部を有し、
組立品を組み立てることで折り畳まれたそれぞれの支柱部には、少なくとも１つの切込部を有するリブが形成され、
第１側面部及び第２側面部、又は、第３側面部及び第４側面部のうち、前記突片部を有さない側面部が、該突片部を差込み可能な突片差込口を有し、
運搬用差込口は、１以上の扉部を折り畳むことで形成されるものであり、
扉部は、扉部を折り畳む場合に、扉部の折れ曲がる付け根部分の幅よりも、空間内側方向に位置する部分の幅の方が広く、
第１端部及び第２端部には、扉部を折り畳んだ場合に、扉部を係止可能に切込みが設けられており、
上部半製品及び底部半製品に形成されたリブ同士を直交させるように対向させ、リブが有する切込部を互いに係合させ、かつ、突片部を突片差込口に差込み、係止することで組み立てられた組立品。
【請求項４】
上部半製品及び／又は底部半製品には、さらに、パネルが長手方向に並列に配置されており、
パネルは、運搬用差込口に差し込まれた物体を確認可能な確認窓を有する、請求項１〜３のいずれかに記載の組立品。
【請求項５】
折り畳み自在で平坦かつ方形の、組立品を構成し得る板状部材であって、
板状部材には、組立品を組み立てた際に組立品の側面となる第１側面部及び第２側面部、組立品を組み立てた際に組立品の支柱となる支柱部、並びに、組立品を組み立てた際に組立品の空間内部に位置するように折り畳む第１端部及び第２端部が長手方向に並列に配置され、かつ、第１端部及び第１側面部、並びに第２端部及び第２側面部はそれぞれ隣接して配置されており、
第１側面部及び第２側面部は、幅方向外方へ延びる突片部を有し、
組立品を組み立てることで折り畳まれた支柱部には、少なくとも１つの切込部を有するリブが形成され、
第１側面部及び／又は第２側面部は、他の板状部材と組み合わせる場合に用いる折畳差込部を有し、
形成されたリブを、他の板状部材に形成されたリブと直交させるように対向させ、リブが有する切込部を係合させ、板状部材及び他の板状部材に挟まれる空間内部に位置するように、第１端部、第２端部、及び折畳差込部を折り畳み、突片部を他の板状部材が有する突片差込口に差込み、係止することで組立品を構成し得る板状部材。
【請求項６】
折り畳み自在で平坦かつ方形の、組立品を構成し得る板状部材であって、
板状部材には、組立品を組み立てた際に組立品の側面となる第１側面部及び第２側面部、並びに、組立品を組み立てた際に組立品の支柱となる支柱部が長手方向に並列に配置されており、
第１側面部及び第２側面部は、幅方向外方へ延びる突片部を有し、
組立品を組み立てることで折り畳まれた支柱部には、少なくとも１つの切込部を有するリブが形成され、
支柱部は、他の半製品と係合させるために折り畳むものであり、
支柱部には、折り畳むための二本の折り曲げ線が平行に設けられており、
形成されたリブを、他の板状部材に形成されたリブと直交させるように対向させ、リブが有する切込部を係合させ、かつ、突片部を他の板状部材が有する突片差込口に差込み、係止することで組立品を構成し得る板状部材。
【請求項７】
第１側面部及び第２側面部の少なくとも１つは、物体の運搬において使用する運搬用差込口を有する、請求項５又は６に記載の板状部材。
【請求項８】
折り畳み自在で平坦かつ方形の、組立品を構成し得る板状部材であって、
板状部材には、組立品を組み立てた際に組立品の側面となる第１側面部及び第２側面部、組立品を組み立てた際に組立品の支柱となる支柱部、並びに、組立品を組み立てた際に組立品の空間内部に位置するように折り畳む第１端部及び第２端部が長手方向に並列に配置され、かつ、第１端部及び第１側面部、並びに第２端部及び第２側面部はそれぞれ隣接して配置されており、
第１側面部及び第２側面部は、幅方向外方へ延びる突片部を有し、
第１側面部及び第２側面部の少なくとも１つは、物体の運搬において使用する運搬用差込口を有し、
組立品を組み立てることで折り畳まれた支柱部には、少なくとも１つの切込部を有するリブが形成され、
運搬用差込口は、１以上の扉部を折り畳むことで形成されるものであり、
扉部は、扉部を折り畳む場合に、扉部の折れ曲がる付け根部分の幅よりも、空間内側方向に位置する部分の幅の方が広く、
第１端部及び第２端部には、扉部を折り畳んだ場合に、扉部を係止可能に切込みが設けられており、
形成されたリブを、他の板状部材に形成されたリブと直交させるように対向させ、リブが有する切込部を係合させ、かつ、突片部を他の板状部材が有する突片差込口に差込み、係止することで組立品を構成し得る板状部材。
【請求項９】
折り畳み自在で平坦かつ方形の、組立品を構成し得る板状部材であって、
板状部材には、組立品を組み立てた際に組立品の側面となる第３側面部及び第４側面部、並びに、組立品を組み立てた際に組立品の支柱となる支柱部が長手方向に並列に配置されており、
第３側面部及び第４側面部は、他の板状部材が有する突片部を差込み可能な突片差込口を有し、
組立品を組み立てることで折り畳まれた支柱部には、少なくとも１つの切込部を有するリブが形成され、
支柱部は、他の半製品と係合させるために折り畳むものであり、
支柱部には、折り畳むための二本の折り曲げ線が平行に設けられており、
形成されたリブを、他の板状部材に形成されたリブと直交させるように対向させ、リブが有する切込部を係合させ、かつ、突片部を突片差込口に差込み、係止することで組立品を構成し得る板状部材。
【請求項１０】
第３側面部及び第４側面部の少なくとも１つは、物体の運搬において使用する運搬用差込口を有する、請求項９に記載の板状部材。
【請求項１１】
折り畳み自在で平坦かつ方形の、組立品を構成し得る板状部材であって、
板状部材には、組立品を組み立てた際に組立品の側面となる第３側面部及び第４側面部、組立品を組み立てた際に組立品の支柱となる支柱部、並びに、組立品を組み立てた際に組立品の空間内部に位置するように折り畳む第１端部及び第２端部が長手方向に並列に配置され、かつ、第１端部及び第１側面部、並びに第２端部及び第２側面部はそれぞれ隣接して配置されており、
第３側面部及び第４側面部は、他の板状部材が有する突片部を差込み可能な突片差込口を有し、
第３側面部及び第４側面部の少なくとも１つは、物体の運搬において使用する運搬用差込口を有し、
組立品を組み立てることで折り畳まれた支柱部には、少なくとも１つの切込部を有するリブが形成され、
運搬用差込口は、１以上の扉部を折り畳むことで形成されるものであり、
扉部は、扉部を折り畳む場合に、扉部の折れ曲がる付け根部分の幅よりも、空間内側方向に位置する部分の幅の方が広く、
第１端部及び第２端部には、扉部を折り畳んだ場合に、扉部を係止可能に切込みが設けられており、
形成されたリブを、他の板状部材に形成されたリブと直交させるように対向させ、リブが有する切込部を係合させ、かつ、突片部を突片差込口に差込み、係止することで組立品を構成し得る板状部材。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
折り畳み自在で平坦かつ方形の、上部半製品及び底部半製品から組み立てられた、組立品であって、
上部半製品には、第１側面部、第２側面部、支柱部、第１端部、及び第２端部が長手方向に並列に配置され、かつ、第１端部及び第１側面部、並びに第２端部及び第２側面部はそれぞれ隣接して配置されており、
底部半製品には、第３側面部、第４側面部、及び支柱部が長手方向に並列に配置されており、
第１側面部、第２側面部、第３側面部、及び第４側面部の少なくとも１つは、物体の運搬において使用する運搬用差込口を有し、
第１側面部及び第２側面部、又は、第３側面部及び第４側面部は、幅方向外方へ延びる突片部を有し、
組立品を組み立てることで折り畳まれたそれぞれの支柱部には、少なくとも１つの切込部を有するリブが形成され、
第１側面部及び第２側面部、又は、第３側面部及び第４側面部のうち、前記突片部を有さない側面部が、該突片部を差込み可能な突片差込口を有し、
第１側面部及び／又は第２側面部は、底部半製品と組み合わせる場合に用いる折畳差込部を有し、
上部半製品及び底部半製品に形成されたリブ同士を直交させるように対向させ、リブが有する切込部を互いに係合させ、上部半製品及び底部半製品に挟まれる空間内部に位置するように、第１端部、第２端部、及び折畳差込部を折り畳み、突片部を突片差込口に差込み、係止することで組み立てられた組立品。
【請求項２】
折り畳み自在で平坦かつ方形の、上部半製品及び底部半製品から組み立てられた、組立品であって、
上部半製品には、第１側面部、第２側面部、及び支柱部が長手方向に並列に配置されており、
底部半製品には、第３側面部、第４側面部、及び支柱部が長手方向に並列に配置されており、
第１側面部、第２側面部、第３側面部、及び第４側面部の少なくとも１つは、物体の運搬において使用する運搬用差込口を有し、
第１側面部及び第２側面部、又は、第３側面部及び第４側面部は、幅方向外方へ延びる突片部を有し、
組立品を組み立てることで折り畳まれたそれぞれの支柱部には、少なくとも１つの切込部を有するリブが形成され、
第１側面部及び第２側面部、又は、第３側面部及び第４側面部のうち、前記突片部を有さない側面部が、該突片部を差込み可能な突片差込口を有し、
上部半製品及び／又は底部半製品の支柱部は、他の半製品と係合させるために折り畳むものであり、
該支柱部には、折り畳むための一本の折り曲げ線と、平行な二本の折り曲げ線とが設けられており、
上部半製品及び底部半製品に形成されたリブ同士を直交させるように対向させ、リブが有する切込部を互いに係合させ、かつ、突片部を突片差込口に差込み、係止することで組み立てられた組立品。
【請求項３】
折り畳み自在で平坦かつ方形の、上部半製品及び底部半製品から組み立てられた、組立品であって、
上部半製品には、第１側面部、第２側面部、支柱部、第１端部、及び第２端部が長手方向に並列に配置され、かつ、第１端部及び第１側面部、並びに第２端部及び第２側面部はそれぞれ隣接して配置されており、
底部半製品には、第３側面部、第４側面部、及び支柱部が長手方向に並列に配置されており、
第１側面部、第２側面部、第３側面部、及び第４側面部の少なくとも１つは、物体の運搬において使用する運搬用差込口を有し、
第１側面部及び第２側面部、又は、第３側面部及び第４側面部は、幅方向外方へ延びる突片部を有し、
組立品を組み立てることで折り畳まれたそれぞれの支柱部には、少なくとも１つの切込部を有するリブが形成され、
第１側面部及び第２側面部、又は、第３側面部及び第４側面部のうち、前記突片部を有さない側面部が、該突片部を差込み可能な突片差込口を有し、
運搬用差込口は、２つの扉部を折り畳むことで形成されるものであり、
扉部は、扉部を折り畳む場合に、扉部の折れ曲がる付け根部分の幅よりも、空間内側方向に位置する部分の幅の方が広く、
第１端部及び第２端部には、扉部を折り畳んだ場合に、扉部を係止可能に切込みが設けられており、
上部半製品及び底部半製品に形成されたリブ同士を直交させるように対向させ、リブが有する切込部を互いに係合させ、かつ、突片部を突片差込口に差込み、係止することで組み立てられた組立品。
【請求項４】
上部半製品及び／又は底部半製品には、さらに、パネルが長手方向に並列に配置されており、
パネルは、運搬用差込口に差し込まれた物体を確認可能な確認窓を有する、請求項１〜３のいずれかに記載の組立品。
【請求項５】
折り畳み自在で平坦かつ方形の、組立品を構成し得る板状部材であって、
板状部材には、組立品を組み立てた際に組立品の側面となる第１側面部及び第２側面部、組立品を組み立てた際に組立品の支柱となる支柱部、並びに、組立品を組み立てた際に組立品の空間内部に位置するように折り畳む第１端部及び第２端部が長手方向に並列に配置され、かつ、第１端部及び第１側面部、並びに第２端部及び第２側面部はそれぞれ隣接して配置されており、
第１側面部及び第２側面部は、幅方向外方へ延びる突片部を有し、
組立品を組み立てることで折り畳まれた支柱部には、少なくとも１つの切込部を有するリブが形成され、
第１側面部及び／又は第２側面部は、他の板状部材と組み合わせる場合に用いる折畳差込部を有し、
形成されたリブを、他の板状部材に形成されたリブと直交させるように対向させ、リブが有する切込部を係合させ、板状部材及び他の板状部材に挟まれる空間内部に位置するように、第１端部、第２端部、及び折畳差込部を折り畳み、突片部を他の板状部材が有する突片差込口に差込み、係止することで組立品を構成し得る板状部材。
【請求項６】
折り畳み自在で平坦かつ方形の、組立品を構成し得る板状部材であって、
板状部材には、組立品を組み立てた際に組立品の側面となる第１側面部及び第２側面部、並びに、組立品を組み立てた際に組立品の支柱となる支柱部が長手方向に並列に配置されており、
第１側面部及び第２側面部は、幅方向外方へ延びる突片部を有し、
組立品を組み立てることで折り畳まれた支柱部には、少なくとも１つの切込部を有するリブが形成され、
支柱部は、他の半製品と係合させるために折り畳むものであり、
支柱部には、折り畳むための一本の折り曲げ線と、平行な二本の折り曲げ線とが設けられており、
形成されたリブを、他の板状部材に形成されたリブと直交させるように対向させ、リブが有する切込部を係合させ、かつ、突片部を他の板状部材が有する突片差込口に差込み、係止することで組立品を構成し得る板状部材。
【請求項７】
第１側面部及び第２側面部の少なくとも１つは、物体の運搬において使用する運搬用差込口を有する、請求項５又は６に記載の板状部材。
【請求項８】
折り畳み自在で平坦かつ方形の、組立品を構成し得る板状部材であって、
板状部材には、組立品を組み立てた際に組立品の側面となる第１側面部及び第２側面部、組立品を組み立てた際に組立品の支柱となる支柱部、並びに、組立品を組み立てた際に組立品の空間内部に位置するように折り畳む第１端部及び第２端部が長手方向に並列に配置され、かつ、第１端部及び第１側面部、並びに第２端部及び第２側面部はそれぞれ隣接して配置されており、
第１側面部及び第２側面部は、幅方向外方へ延びる突片部を有し、
第１側面部及び第２側面部の少なくとも１つは、物体の運搬において使用する運搬用差込口を有し、
組立品を組み立てることで折り畳まれた支柱部には、少なくとも１つの切込部を有するリブが形成され、
運搬用差込口は、２つの扉部を折り畳むことで形成されるものであり、
扉部は、扉部を折り畳む場合に、扉部の折れ曲がる付け根部分の幅よりも、空間内側方向に位置する部分の幅の方が広く、
第１端部及び第２端部には、扉部を折り畳んだ場合に、扉部を係止可能に切込みが設けられており、
形成されたリブを、他の板状部材に形成されたリブと直交させるように対向させ、リブが有する切込部を係合させ、かつ、突片部を他の板状部材が有する突片差込口に差込み、係止することで組立品を構成し得る板状部材。
【請求項９】
折り畳み自在で平坦かつ方形の、組立品を構成し得る板状部材であって、
板状部材には、組立品を組み立てた際に組立品の側面となる第３側面部及び第４側面部、並びに、組立品を組み立てた際に組立品の支柱となる支柱部が長手方向に並列に配置されており、
第３側面部及び第４側面部は、他の板状部材が有する突片部を差込み可能な突片差込口を有し、
組立品を組み立てることで折り畳まれた支柱部には、少なくとも１つの切込部を有するリブが形成され、
支柱部は、他の半製品と係合させるために折り畳むものであり、
支柱部には、折り畳むための一本の折り曲げ線と、平行な二本の折り曲げ線とが設けられており、
形成されたリブを、他の板状部材に形成されたリブと直交させるように対向させ、リブが有する切込部を係合させ、かつ、突片部を突片差込口に差込み、係止することで組立品を構成し得る板状部材。
【請求項１０】
第３側面部及び第４側面部の少なくとも１つは、物体の運搬において使用する運搬用差込口を有する、請求項９に記載の板状部材。
【請求項１１】
折り畳み自在で平坦かつ方形の、組立品を構成し得る板状部材であって、
板状部材には、組立品を組み立てた際に組立品の側面となる第３側面部及び第４側面部、組立品を組み立てた際に組立品の支柱となる支柱部、並びに、組立品を組み立てた際に組立品の空間内部に位置するように折り畳む第１端部及び第２端部が長手方向に並列に配置され、かつ、第１端部及び第１側面部、並びに第２端部及び第２側面部はそれぞれ隣接して配置されており、
第３側面部及び第４側面部は、他の板状部材が有する突片部を差込み可能な突片差込口を有し、
第３側面部及び第４側面部の少なくとも１つは、物体の運搬において使用する運搬用差込口を有し、
組立品を組み立てることで折り畳まれた支柱部には、少なくとも１つの切込部を有するリブが形成され、
運搬用差込口は、２つの扉部を折り畳むことで形成されるものであり、
扉部は、扉部を折り畳む場合に、扉部の折れ曲がる付け根部分の幅よりも、空間内側方向に位置する部分の幅の方が広く、
第１端部及び第２端部には、扉部を折り畳んだ場合に、扉部を係止可能に切込みが設けられており、
形成されたリブを、他の板状部材に形成されたリブと直交させるように対向させ、リブが有する切込部を係合させ、かつ、突片部を突片差込口に差込み、係止することで組立品を構成し得る板状部材。